(57)【要約】【課題】液体の投与操作を疑似的に体験でき、かつ繰り返し利用可能となって経費を削減できる疑似体験デバイスを提供する。【解決手段】液体を生体内へ投与するための器具の投与操作を疑似的に体験するための疑似体験デバイス１０であり、操作部材４０と、操作部材４０に対して移動可能である構造体２１と、構造体２１に対して移動可能であるカバー部材５０と、カバー部材５０を構造体２１に対して先端方向へ付勢する第１コイルバネ２２とを有し、操作部材４０に第１係合部４３が形成されるとともにカバー部材５０に第２係合部５３が形成され、操作部材４０が構造体２１に対して先端方向へ移動し、かつカバー部材５０が構造体２１に対して先端方向へ移動した状態において、操作部材４０をカバー部材５０に対して基端方向へ移動不能となるように第１係合部４３および第２係合部５３が係合するとともに、当該係合を解除可能である。【選択図】図２
2015081964.tif 000002
【特許請求の範囲】
【請求項１】
液体を生体内へ投与するための器具の投与操作を疑似的に体験するための疑似体験デバイスであって、
把持して操作を行うための操作部材と、
前記操作部材に対して当該操作部材の軸方向へ直進的に移動可能である構造体と、
前記構造体に対して前記軸方向へ直進的に移動可能であるカバー部材と、
前記カバー部材を前記構造体に対して先端方向へ付勢する付勢部材と、を有し、
前記操作部材に第１係合部が形成されるとともに、前記カバー部材に前記第１係合部と係合可能な第２係合部が形成され、
前記操作部材が前記構造体に対して先端方向へ移動し、かつ前記カバー部材が前記構造体に対して先端方向へ移動した状態において、前記操作部材を前記カバー部材に対して基端方向へ移動不能となるように前記第１係合部および第２係合部が係合するとともに、当該係合を解除可能である疑似体験デバイス。
【請求項２】
前記カバー部材は、突出して設けられ、押圧することで前記第２係合部を前記第１係合部に対する係合状態から解除させるように変形させる解除用押圧部を有する請求項１に記載の疑似体験デバイス。
【請求項３】
前記操作部材に第３係合部が形成されるとともに、前記カバー部材に前記第３係合部と係合可能な第４係合部が形成され、
前記操作部材が前記構造体に対して先端方向へ移動し、かつ前記カバー部材が前記構造体に対して先端方向へ移動した状態において、前記カバー部材を前記操作部材に対して基端方向へ移動不能となるように前記第３係合部および第４係合部が係合する請求項１または２に記載の疑似体験デバイス。
【請求項４】
前記操作部材および構造体に相対的に離れる方向へ力を作用させる第２付勢部材を有する請求項１〜３のいずれか１項に記載の疑似体験デバイス。
【請求項５】
前記操作部材および構造体に相対的に近づく方向へ力を作用させる第２付勢部材を有する請求項１〜３のいずれか１項に記載の疑似体験デバイス。
【請求項６】
前記カバー部材へ押圧力を作用させて前記第２係合部を前記第１係合部に対する係合状態から解除させる方向へ変形させる解除用部材を有する請求項１〜５のいずれか１項に記載の疑似体験デバイス。
【請求項７】
前記構造体は、内部に液体を収容可能な収容部と、前記収容部の内部と連通可能であって前記カバー部材が前記構造体に対して相対的に基端方向へ移動する際に当該カバー部材から先端方向へ突出する針管と、を有し、
前記解除用部材は、液体を収容可能であって前記針管が突出する際に連通可能な補給容器を有する請求項６に記載の疑似体験デバイス。
【発明の詳細な説明】
【技術分野】
【０００１】
本発明は、液体を投与するためのデバイスの操作を疑似体験するための疑似体験デバイスに関するものである。
【背景技術】
【０００２】
従来より、予め液体が充填されたプレフィルドシリンジが知られている。プレフィルドシリンジは、通常、液体が収容されるとともに、先端に液体を吐出させる吐出口が形成されるシリンジ外筒と、シリンジ外筒の吐出口に設けられる針管と、シリンジ外筒内を摺動可能なガスケットと、ガスケットを先端方向へ押圧するための押し子とを備えている。
【０００３】
ところで、プレフィルドシリンジは、患者が家庭で自己投与する場合にも用いられる。しかしながら、力の弱い高齢者や女性、手指に痛みや変形があるリウマチ患者等が自己投与する場合には、操作が困難となる場合がある。
【０００４】
そこで、例えば特許文献１には、シリンジ外管および針管がバネの付勢力によって構造体の内部に保持された薬物送達装置が記載されている。この薬物送達装置を使用する際には、構造体を生体に押し付けて構造体を手のひらで押圧操作する。これにより、針管が構造体から突出して生体に穿刺され、押し子が先端方向へ移動して、薬物が針管を介して生体内に投与される。この後、構造体への押圧を緩めることで、バネの付勢力によって針管が再び構造体の内部に収容される。
【０００５】
しかしながら、特許文献１に記載の薬物送達装置は、安全確保のために、使用後に針管が構造体から再び突出することを防止し、再利用できないようにする機構が設けられている。このため、薬物送達装置を、投与操作の訓練やプロモーションとして疑似的に使用する場合、すなわち、生体への液体の投与を現実には行わない使用であっても、繰り返し使用することができない。そして、高価な薬物送達装置を、投与操作の訓練やプロモーションとして使用すると、経費の無駄が生じることになる。
【先行技術文献】
【特許文献】
【０００６】
【特許文献１】特表２０１３−５０８０３２号公報
【発明の概要】
【発明が解決しようとする課題】
【０００７】
本発明は上述した課題を解決するものであり、液体の投与操作を疑似的に体験でき、かつ繰り返し利用可能となって経費を削減できる疑似体験デバイスを提供することを目的とする。
【課題を解決するための手段】
【０００８】
上記目的を達成する本発明に係る疑似体験デバイスは、液体を生体内へ投与するための器具の投与操作を疑似的に体験するための疑似体験デバイスであって、把持して操作を行うための操作部材と、前記操作部材に対して当該操作部材の軸方向へ直進的に移動可能である構造体と、前記構造体に対して前記軸方向へ直進的に移動可能であるカバー部材と、前記カバー部材を前記構造体に対して先端方向へ付勢する付勢部材と、を有し、前記操作部材に第１係合部が形成されるとともに、前記カバー部材に前記第１係合部と係合可能な第２係合部が形成され、前記操作部材が前記構造体に対して先端方向へ移動し、かつ前記カバー部材が前記構造体に対して先端方向へ移動した状態において、前記操作部材を前記カバー部材に対して基端方向へ移動不能となるように前記第１係合部および第２係合部が係合するとともに、当該係合を解除可能である。
【発明の効果】
【０００９】
上記のように構成した疑似体験デバイスは、第１係合部および第２係合部の係合を解除して操作部材をカバー部材に対して基端方向へ移動可能とすることができるため、液体の投与操作を疑似的に体験した後、使用前の初期状態へ戻すことが可能となり、繰り返し利用可能となって経費を削減できる。
【図面の簡単な説明】
【００１０】
【図１】第１実施形態に係る疑似体験デバイスを示す斜視図である。
【図２】初期状態における、図１のＡ−Ａ線に沿う疑似体験デバイスの縦断面図である。
【図３】図１のＡ−Ａ線に沿う疑似体験デバイスの縦断面図であり、（Ａ）は針管を対象物に穿刺した状態、（Ｂ）は液体を投与した状態、（Ｃ）は針管をカバー部材に収容した状態を示す。
【図４】図１のＢ−Ｂ線に沿う疑似体験デバイスの縦断面図であり、（Ａ）は針管を対象物に穿刺した状態、（Ｂ）は液体を投与した状態、（Ｃ）は針管をカバー部材に収容した状態を示す。
【図５】疑似体験デバイスを解除用部材により初期状態に戻す直前の状態を示す縦断面図である。
【図６】疑似体験デバイスを解除用部材により初期状態に戻した後の状態を示す縦断面図である。
【図７】第２実施形態に係る疑似体験デバイスの解除用部材を示す縦断面図である。
【図８】第２実施形態に係る疑似体験デバイスを解除用部材により初期状態に戻す直前の状態を示す縦断面図である。
【図９】第２実施形態に係る疑似体験デバイスを解除用部材により初期状態に戻した後の状態を示す縦断面図である。
【図１０】第３および第４実施形態に係る疑似体験デバイスを示す縦断面図である。
【発明を実施するための形態】
【００１１】
以下、図面を参照して、本発明の実施の形態を説明する。なお、図面の寸法比率は、説明の都合上、誇張されて実際の比率とは異なる場合がある。また、以下の説明において、疑似体験デバイスの操作側（押圧する側）を「基端側」、液体を投与する側（針管が突出する側）を「先端側」と称す。
＜第１実施形態＞
【００１２】
図１，２に示す第１実施形態に係る疑似体験デバイス１０は、薬剤等の液体を生体内に投与するための医療用の疑似体験デバイスの操作を、訓練やプロモーション等の種々の目的で繰り返し疑似体験できるデバイスである。
【００１３】
疑似体験デバイス１０は、液体の投与に用いられる本体部２０と、疑似体験デバイス１０を利用後に、再利用を可能な状態に戻すための解除用部材３０とを備えている。本体部２０は、内部に液体を収容する構造体２１（下部ハウジング）と、構造体２１から液体を吐出させる操作を行うための操作部材４０（上部ハウジング）と、構造体２１に対して直進的に移動可能に設けられるカバー部材５０と、カバー部材５０を先端方向へ付勢する第１コイルバネ２２（付勢部材）とを備えている。
【００１４】
構造体２１は、内部に液体を収容可能な筒状のシリンジ６０（収容部）と、シリンジ６０の先端に取り付けられる針管６１と、シリンジ６０の内部に対して摺動可能に配置されるガスケット６２と、シリンジ６０の外周に配置されてシリンジ６０を支持する内側部材７０と、内側部材７０の外側に配置される外側部材８０とを備えている。
【００１５】
シリンジ６０は、基端側に基端開口部６３が形成され、先端側に液体が通過する吐出口６４が形成されている。針管６１は、内部の流路がシリンジ６０の吐出口６４と連通するようにシリンジ６０の先端に固定されており、先端に鋭利な針先が形成されている。ガスケット６２は、シリンジ６０の内壁面６５に密着して液密性を維持しつつ、シリンジ６０の軸方向に沿って摺動可能に配置される。ガスケット６２がシリンジ６０の内部を先端方向へ移動することで、シリンジ６０とガスケット６２によって規定される空間内の液体を、シリンジ６０の吐出口６４を介して針管６１から吐出させることができる。シリンジ６０に収容される液体は、例えば水、生理食塩水等であるが、特に限定されない。
【００１６】
内側部材７０は、シリンジ６０の外周を囲む支持孔７１が形成されており、この支持孔７１にシリンジ６０が嵌合して、シリンジ６０が支持されている。
【００１７】
外側部材８０は、内側部材７０の外周を囲むように形成されるとともに、構造体２１の外周面の一部を構成する。シリンジ６０、内側部材７０および外側部材８０は、互いに連結若しくは接着されており、一体的に移動する構造をなしている。
【００１８】
操作部材４０は、構造体２１に対して直進的に移動可能であり、使用者が押圧するための押圧部４１と、ガスケット６２に連結される押し子４２と、押圧部４１から先端方向へ延在する２つの第１係合部４３とを備えている。
【００１９】
押圧部４１は、先端側が開口し、基端側が閉じた筒形状で形成されており、外側部材８０の外周面を囲む筒状の押圧用筒部４５と、押圧用筒部４５の基端側の開口を塞ぐように平面状に形成される押圧用基端部４６とを備えている。押圧用筒部４５は、外側部材８０の外周面と摺動可能である。
【００２０】
押し子４２は、押圧用基端部４６の内面の中心から先端方向へ延在し、先端に、ガスケット６２が連結する凸部４２Ａが形成されている。
【００２１】
２つの第１係合部４３は、押し子４２を挟んで対向するように位置し、いずれも先端方向へ向かって延在している。各々の第１係合部４３の先端には、互いに離れる方向（操作部材４０の径方向外側）に突出する基端側爪部４４が形成されている。各々の基端側爪部４４の先端面には、径方向外側ほど基端側へ傾くように第２傾斜面４４Ａが形成される。そして、各々の基端側爪部４４の基端面である基端側爪部基端面４４Ｂは、押圧用基端部４６から延在している部位に対する角度αが、略９０度で形成される。
【００２２】
カバー部材５０は、筒状のカバー筒部５１と、カバー筒部５１の先端側の開口を塞ぐように形成される平面状のカバー先端部５２とを備えている。カバー筒部５１は、外側部材８０の内周面と摺動可能である。カバー部材５０の内部には、第１コイルバネ２２が配置されており、第１コイルバネ２２の先端部がカバー先端部５２の内面に接し、基端部が構造体２１の内側部材７０に接している。この第１コイルバネ２２は、軸方向に収縮された状態で配置され、これによって、カバー部材５０を先端方向へ付勢している。カバー筒部５１の基端には、径方向外側へ突出する返し部５１Ａが形成されている。カバー部材５０は、内側部材７０および外側部材８０の間に形成される空間内へ収容されるように、第１コイルバネ２２を収縮させつつ基端方向へ直進的に移動可能であり、この基端方向へ移動した状態から、収縮した第１コイルバネ２２の弾性力（復元力）によって先端方向へ移動できる。カバー部材５０が先端方向へ移動すると、返し部５１Ａが外側部材８０の内側面に形成される突出部８１に引っ掛かり、構造体２１に対して所定の位置以上の突出が規制される。カバー部材５０のカバー先端部５２には、カバー部材５０の中心軸上に、針管６１が突出可能な針通過孔５４（開口部）が形成され、針通過孔５４を挟んで両側に、解除用部材３０に形成される解除用凸部３２を挿入可能な２つの凸部挿入孔５５（挿入孔）が形成されている。針通過孔５４は、カバー部材５０が構造体２１に対して相対的に基端方向へ移動する際に、針管６１を通過させて先端方向へ突出させる。２つの凸部挿入孔５５は、解除用凸部３２を通過させるための孔である。
【００２３】
また、カバー筒部５１は、基端方向へ延在する２つの第２係合部５３を備えている。２つの第２係合部５３は、カバー部材５０の中心軸を挟んで対向するように位置し、いずれも基端方向へ向かって延在している。各々の第２係合部５３の基端には、互いに近づく方向（カバー筒部５１の径方向内側）に突出するカバー部材爪部５９が形成されている。各々のカバー部材爪部５９の基端面には、径方向内側ほど先端側へ傾くように第１傾斜面５９Ａが形成される。そして、各々のカバー部材爪部５９の基端面であるカバー部材爪部先端面５９Ｂは、カバー筒部５１から延在している部位に対する角度βが、略９０度で形成される。２つの第２係合部５３の先端方向側には、互いに近づく方向（カバー部材５０の径方向内側）に突出する解除用押圧部５６が形成される。解除用押圧部５６は、凸部挿入孔５５から挿入される解除用部材３０の解除用凸部３２により押圧されることで、径方向外側へ移動して、カバー部材爪部５９を径方向外側へ移動させる（図５を参照）。
【００２４】
そして、カバー部材５０が構造体２１に対して基端方向へ移動した状態（図３（Ａ）を参照）において、操作部材４０が外側部材８０の外周面を覆う位置まで構造体２１に対して先端方向へ移動すると（図３（Ｂ）を参照）、カバー部材爪部５９の第１傾斜面５９Ａが、基端側爪部４４の第２傾斜面４４Ａと接して互いに滑りながら変形し、カバー部材爪部５９が基端側爪部４４を乗り越えて基端側爪部４４よりも基端側へ移動し、カバー部材爪部５９と基端側爪部４４が係合せずにすれ違うことになる。この後、カバー部材５０が構造体２１に対して先端方向へ移動すると（図３（Ｃ）を参照）、カバー部材爪部先端面５９Ｂおよび基端側爪部基端面４４Ｂが当接する。このとき、カバー部材爪部先端面５９Ｂの角度βが略９０度であり、かつ基端側爪部基端面４４Ｂの角度αが略９０度であるため、カバー部材爪部先端面５９Ｂと基端側爪部基端面４４Ｂの間で滑る方向（軸方向と直交する方向）にほとんど力が作用せず、カバー部材爪部５９および基端側爪部４４が良好に係合するとともに、互いに離間するように力を作用させることで、係合を解除することができる。なお、角度αおよび角度βの値は限定されず、９０度未満としても、９０度を超えてもよい。
【００２５】
解除用部材３０は、第１係合部４３および第２係合部５３の係合を解除するための部材であり、筒状の解除用筒部３１と、解除用筒部３１から延びる２つの解除用凸部３２を備えている。２つの解除用凸部３２は、解除用筒部３１の中心軸を挟んで対向するように位置し、いずれも基端方向へ向かって延在している。２つの解除用凸部３２は、カバー部材５０の２つの凸部挿入孔５５に先端側から挿入可能である。解除用凸部３２は、凸部挿入孔５５に挿入することで、解除用押圧部５６に接触して押圧し、第２係合部５３のカバー部材爪部５９を径方向外側へ移動させて、第１係合部４３の基端側爪部４４から離間させて、第１係合部４３および第２係合部５３の係合を解除させる（図５を参照）。
【００２６】
疑似体験デバイス１０は、さらに、投与操作の後に、構造体２１に対するカバー部材５０の移動を制限して針管６１の露出をカバー部材５０によって防止する安全機構を備えている。安全機構は、第２係合部５３および第１係合部４３の動作と干渉しないように、第２係合部５３および第１係合部４３が設けられる縦断面（図１のＡ−Ａ線に沿う断面）に対して、所定角度（本実施形態では、９０度）回転した縦断面（図１のＢ−Ｂ線に沿う断面）上に設けられる。
【００２７】
安全機構は、図４（Ａ）に示すように、操作部材４０に形成される２つの第３係合部４８と、カバー部材５０に形成される２つの第４係合部５７とによって構成される。
【００２８】
カバー部材５０に設けられる２つの第４係合部５７は、カバー部材５０の中心軸を挟んで対向するように位置し、いずれも基端方向へ向かって延在している。各々の第４係合部５７の基端には、互いに離れる方向（カバー部材５０の径方向外側）に突出する安全用爪部５８が形成されている。各々の安全用爪部５８の基端面には、径方向外側ほど先端側へ傾くように第４傾斜面５８Ａが形成される。
【００２９】
操作部材４０に設けられる２つの第３係合部４８は、操作部材４０の中心軸を挟んで対向するように位置し、いずれも先端方向へ向かって延在している。各々の第３係合部４８の先端面には、径方向内側ほど基端側へ傾くように第５傾斜面４８Ａが形成される。
【００３０】
カバー部材５０が構造体２１に対して基端方向へ移動した状態から、さらに操作部材４０が構造体２１に対して先端方向へ移動すると、図４（Ｂ）に示すように、安全用爪部５８の第４傾斜面５８Ａに、操作部材４０に設けられる第３係合部４８の第５傾斜面４８Ａが接触し、第４係合部５７が径方向外側へ撓む。これにより、第４係合部５７によって、操作部材４０の移動が妨げられず、液体の投与が可能である。そして、操作部材４０が構造体２１に対して先端方向へ移動した状態で、カバー部材５０が先端方向へ移動すると、図４（Ｃ）に示すように、第４係合部５７の撓みが戻り、安全用爪部５８の第４傾斜面５８Ａが第３係合部４８の第５傾斜面４８Ａと接触する。これにより、カバー部材５０の構造体２１に対する基端方向への移動が抑制される。
【００３１】
解除用部材３０、操作部材４０、カバー部材５０、シリンジ６０、内側部材７０、および外側部材８０の構成材料は、特に限定されず、例えば、ポリカーボネート、ポリ塩化ビニル、ポリエチレン、ポリプロピレン、環状ポリオレフィン、ポリスチレン、ポリ−（４−メチルペンテン−１）、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられる。
【００３２】
ガスケット６２の構成材料は、弾性材料であることが好ましいが、特に限定されず、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等が挙げられる。
【００３３】
針管６１の構成材料は、特に限定されず、例えば、ステンレス鋼、アルミニウムまたはアルミニウム合金、チタンまたはチタン合金のような金属材用が挙げられる。
【００３４】
第１コイルバネ２２の構成材料は、特に限定されず、例えば、ステンレス鋼、銅等のような金属材料が挙げられる。
【００３５】
次に、第１実施形態に係る疑似体験デバイス１０の使用方法を説明する。
【００３６】
始めに、図２に示すように、未使用の初期状態の疑似体験デバイス１０を準備する。この初期状態において、疑似体験デバイス１０は、カバー部材５０が第１コイルバネ２２によって先端側に付勢されており、操作部材４０が構造体２１から基端方向に離れて位置している。したがって、針管６１がカバー部材５０に囲まれており、針管６１の誤穿刺を防止できる。
【００３７】
次に、操作部材４０を把持して、カバー部材５０のカバー先端部５２を、針管６１を穿刺しても問題ない対象物に当接させる。
【００３８】
次に、操作部材４０を先端方向へ押圧する。これにより、図３（Ａ）に示すように、第１コイルバネ２２が収縮し、カバー部材５０に対して構造体２１および操作部材４０が一体的に先端方向へ移動する。これにより、針管６１が、カバー部材５０の針通過孔５４を通って先端方向へ突出し、対象物を穿刺する。このとき、操作部材４０および構造体２１は、ガスケット６２とシリンジ６０の内側面との摩擦力によって、相対的に移動しない。
【００３９】
次に、操作部材４０をさらに先端方向へ押圧すると、図３（Ｂ）に示すように、操作部材４０が構造体２１に対して先端方向へ移動する。これにより、ガスケット６２がシリンジ６０内を先端方向へ摺動し、シリンジ６０内の液体が、針管６１を介して対象物内へ投与される。このとき、カバー部材爪部５９の第１傾斜面５９Ａが、基端側爪部４４の第２傾斜面４４Ａと接して互いに滑りながら変形し、カバー部材爪部５９が基端側爪部４４を乗り越えて基端側爪部４４よりも基端側へ移動し、カバー部材爪部５９と基端側爪部４４が係合せずにすれ違うことになる。
【００４０】
また、操作部材４０が構造体２１に対して先端方向へ移動すると、図４（Ｂ）に示すように、安全機構を構成する安全用爪部５８の第４傾斜面５８Ａに、操作部材４０に設けられる第３係合部４８の第５傾斜面４８Ａが接触し、第４係合部５７が、径方向内側へ撓むため、操作部材４０の移動が第４係合部５７によって妨げられず、液体の投与が可能である。
【００４１】
操作部材４０が構造体２１に対して先端方向へ移動して投与が完了した状態となり、使用者が操作部材４０への押圧力を緩めると、図３（Ｃ）に示すように、第１コイルバネ２２の拡張力により、構造体２１が、カバー部材５０に対して基端方向へ移動し、針管６１が対象物から引き抜かれて、針通過孔５４を通ってカバー部材５０の内側に収容される。構造体２１が、カバー部材５０に対して基端方向へ移動すると、カバー部材爪部先端面５９Ｂおよび基端側爪部基端面４４Ｂが当接する。このとき、カバー部材爪部先端面５９Ｂの角度βが略９０度であり、かつ基端側爪部基端面４４Ｂの角度αが略９０度であるため、カバー部材爪部先端面５９Ｂと基端側爪部基端面４４Ｂの間で滑る方向（軸方向と直交する方向）にほとんど力が作用せず、カバー部材爪部５９および基端側爪部４４が良好に係合する。これにより、操作部材４０が、カバー部材５０に対して基端方向へ移動不能となる。
【００４２】
また、構造体２１が、カバー部材５０に対して基端方向へ移動すると、図４（Ｃ）に示すように、安全機構を構成する第４係合部５７の撓みが戻り、安全用爪部５８が第３係合部４８の第５傾斜面４８Ａと接触する。これにより、操作部材４０に対するカバー部材５０の基端方向への移動が抑制される。このため、針管６１がカバー部材５０から再び突出することが防止され、針管６１による誤穿刺を抑制して安全性を確保できる。
【００４３】
この後、解除用部材３０を把持し、図５に示すように、解除用凸部３２をカバー部材５０の凸部挿入孔５５に挿入し、基端方向へ押し込む。これにより、解除用凸部３２が解除用押圧部５６に接触して押圧し、カバー部材爪部５９が径方向外側へ移動する。これにより、カバー部材爪部５９が基端側爪部４４から離れ、第１係合部４３および第２係合部５３の係合が解除される。この状態で、カバー部材５０および操作部材４０を把持して互いに離れる方向へ移動させると、図６に示すように、操作部材４０が構造体２１およびカバー部材５０に対して基端方向へ移動し、投与前の初期状態へ戻すことができる。
【００４４】
以上のように、第１実施形態に係る疑似体験デバイス１０は、液体を生体内へ投与するための器具の投与操作を疑似的に体験するためのデバイスであって、把持して操作を行うための操作部材４０と、操作部材４０に対して当該操作部材４０の軸方向へ直進的に移動可能である構造体２１と、構造体２１に対して軸方向へ直進的に移動可能であるカバー部材５０と、カバー部材５０を構造体２１に対して先端方向へ付勢する第１コイルバネ２２（付勢部材）と、を有し、操作部材４０に第１係合部４３が形成されるとともに、カバー部材５０に第１係合部４３と係合可能な第２係合部５３が形成され、操作部材４０が構造体２１に対して先端方向へ移動し、かつカバー部材５０が構造体２１に対して先端方向へ移動した状態において、操作部材４０をカバー部材５０に対して基端方向へ移動不能となるように第１係合部４３および第２係合部５３が係合するとともに、当該係合を解除可能である。このように、疑似体験デバイス１０は、第１係合部４３および第２係合部５３の係合を解除して操作部材４０をカバー部材５０に対して基端方向へ移動可能であるため、液体の投与操作を疑似的に体験した後、使用前の初期状態へ戻すことが可能となり、繰り返し利用可能となって経費を削減できる。
【００４５】
また、カバー部材５０が、突出して設けられて、押圧することで第２係合部５３を第１係合部４３に対する係合状態から解除させるように変形させる解除用押圧部５６を有するため、第１係合部４３および第２係合部５３の係合を解除する操作が容易となる。
【００４６】
また、疑似体験デバイス１０は、操作部材４０に第３係合部４８が形成されるとともに、カバー部材５０に第３係合部４８と係合可能な第４係合部５７が形成され、操作部材４０が構造体２１に対して先端方向へ移動し、かつカバー部材５０が構造体２１に対して先端方向へ移動した状態において、カバー部材５０を操作部材４０に対して基端方向へ移動不能となるように第３係合部４８および第４係合部５７が係合する。このため、第１係合部４３および第２係合部５３が係合して操作部材４０がカバー部材５０に対して基端方向へ移動不能となると、第３係合部４８および第４係合部５７が係合して、カバー部材５０が操作部材４０に対して基端方向へ移動不能となる。このため、液体の投与操作を疑似的に体験した後に、針管６１がカバー部材５０に囲まれた状態をより確実に維持でき、針管６１の誤穿刺を防止でき、使用後の安全性の確保が容易となる。
【００４７】
また、疑似体験デバイス１０が、カバー部材５０へ押圧力を作用させて第２係合部５３を第１係合部４３に対する係合状態から解除させる方向へ変形させる解除用部材３０を有するため、第１係合部４３および第２係合部５３の係合を解除する操作が容易となる。
＜第２実施形態＞
【００４８】
第２実施形態に係る疑似体験デバイス１００は、図７に示すように、解除用部材１１０が、液体を収容可能な補給容器１１１を有する点でのみ、第１実施形態と異なる。なお、他の構成は、第１実施形態と同様であるため、同一の符号を付し、説明を省略する。
【００４９】
解除用部材１１０は、解除用筒部３１の内部に、針管６１がカバー部材５０から突出する際に針管６１と連通可能な補給容器１１１を有する。補給容器１１１は、内部に、針管６１によって吸引するための液体を収容する有底筒状の容器であり、基端側が、針管６１を穿刺可能な栓１１２で密封されている。補給容器１１１は、取り換え可能に解除用筒部３１に固定される。
【００５０】
第２実施形態に係る疑似体験デバイス１００を用いて液体の投与操作を疑似的に体験した後、繰り返し利用とするために、解除用部材３０を把持し、図８に示すように、解除用凸部３２をカバー部材５０の凸部挿入孔５５に挿入し、解除用部材３０を本体部２０に対して基端方向へ押し込む。これにより、解除用凸部３２が解除用押圧部５６に接触して押圧し、カバー部材爪部５９が径方向外側へ移動し、カバー部材爪部５９が基端側爪部４４から離れ、第１係合部４３および第２係合部５３の係合が解除される。さらに、針管６１が栓１１２を穿刺し、補給容器１１１の内部が針管６１に連通する。そして、空気を吸引しないように、解除用部材１１０を本体部２０に対して上方に位置させ、カバー部材５０および操作部材４０を互いに離れる方向へ移動させると、図９に示すように、ガスケット６２がシリンジ６０内で基端方向へ移動し、針管６１を介して補給容器１１１内の液体がシリンジ６０の内部へ吸引され、再び疑似体験操作が可能な初期状態へ戻すことができる。
【００５１】
以上のように、第２実施形態に係る疑似体験デバイス１００は、構造体２１が、内部に液体を収容可能なシリンジ６０（収容部）と、シリンジ６０の内部と連通可能であってカバー部材５０が構造体２１に対して相対的に基端方向へ移動する際に当該カバー部材５０から先端方向へ突出する針管６１と、を有し、解除用部材３０が、液体を収容可能であって針管６１が突出する際に当該針管６１と連通可能な補給容器３３を有している。このため、解除用部材３０を用いて疑似体験デバイス１００を再利用可能な状態とする際に、補給容器３３から針管６１を介してシリンジ６０内へ液体を供給することが可能である。
＜第３実施形態＞
【００５２】
第３実施形態に係る疑似体験デバイス２００は、図１０に示すように、操作部材４０の内部に、第２コイルバネ２１０（第２の付勢部材）が設けられる点でのみ、第１実施形態に係る疑似体験デバイス１０と異なる。なお、他の構成は、第１実施形態と同様であるため、同一の符号を付し、説明を省略する。
【００５３】
第２コイルバネ２１０は、操作部材４０の内部に配置されており、先端部が構造体２１の基端面に接し、基端部が操作部材４０の押圧用基端部４６の内面に接している。この第２コイルバネ２１０は、軸方向に収縮された状態で配置され、これによって、操作部材４０を構造体２１に対して基端方向へ付勢している。
【００５４】
第２コイルバネ２１０の構成材料は、特に限定されず、例えば、ステンレス鋼、銅等のような金属材料が挙げられる。
【００５５】
第３実施形態に係る疑似体験デバイス２００によれば、操作部材４０および構造体２１が相対的に離れる方向へ力を作用させる第２コイルバネ２１０（第２の付勢部材）が設けられるため、操作部材４０が構造体２１から離れている初期状態を、良好に維持することができる。また、操作部材４０を押圧して疑似体験操作を行った後、解除用部材３０を用いて第１係合部４３および第２係合部５３の係合を解除すると、第２コイルバネ２１０の拡張力により、操作部材４０を構造体２１に対して基端方向へ自動的に移動させて、初期状態へ容易に戻すことができる。このため、カバー部材５０および操作部材４０を把持して操作部材４０を手動で移動させる必要がなくなり、操作性が向上する。
＜第４実施形態＞
【００５６】
第４実施形態に係る疑似体験デバイスは、第３実施形態に係る疑似体験デバイス２００の第２コイルバネ２１０（第２の付勢部材）が、収縮力を生じさせる点でのみ、第３実施形態に係る疑似体験デバイス２００と異なる。なお、他の構成は、第１実施形態および第３実施形態と同様であるため、説明を省略する。
【００５７】
第２コイルバネ２１０は、操作部材４０の内部に配置されている。第２コイルバネ２１０は、外力が作用しない自然状態においてコイルが収縮した状態であり、これを強制的に引き伸ばした状態で、先端部が構造体２１に連結され、基端部が操作部材４０の押圧用基端部２４に連結されている。したがって、第２コイルバネ２１０は、操作部材４０を構造体２１に対して先端方向へ移動させる力を発生させ、シリンジ６０から針管６１を介して液体を吐出させる際の補助として機能する。なお、第２コイルバネ２１０の収縮力は、使用者が操作部材４０を先端方向へ押圧しない場合に、第２コイルバネ２１０の収縮力によって液体が自動的に投与されない程度の大きさであることが好ましい。
【００５８】
第４実施形態に係る疑似体験デバイスによれば、操作部材４０および構造体２１が相対的に近づく方向へ力を作用させる第２コイルバネ２１０（第２の付勢部材）が設けられるため、小さな力で押圧するだけで操作部材４０を移動させることが可能となり、操作性が向上して、力の弱い使用者でも容易に操作できる。
【００５９】
なお、本発明は、上述した実施形態のみに限定されるものではなく、本発明の技術的思想内において当業者により種々変更が可能である。例えば、上述した各々の実施形態では、第１係合部、第２係合部、第３係合部および第４係合部が、２つずつ設けられているが、数は限定されず、１つであっても、３つ以上であってもよい。
【００６０】
また、シリンジ６０内に、液体が収容されなくてもよい。また、針管６１が設けられなくてもよい。
【００６１】
また、付勢部材および第２の付勢部材は、付勢力を付与可能であればコイルバネでなくてもよく、例えばゴム等からなる弾性体であってもよい。
【００６２】
また、操作部材４０やカバー部材５０等が、複数の部材により構成されてもよい。
【符号の説明】
【００６３】
１０，１００，２００    疑似体験デバイス、
２１    構造体、
２２    第１コイルバネ（付勢部材）、
３０    解除用部材、
３２    解除用凸部、
３３    補給容器、
４０    操作部材、
４３    第１係合部、
４８    第３係合部、
５０    カバー部材、
５３    第２係合部、
５６    解除用押圧部、
５７    第４係合部、
６０    シリンジ（収容部）、
６１    針管、
１１０    解除用部材、
１１１    補給容器、
２１０    第２コイルバネ（第２の付勢部材）。
【図１】
2015081964.tif 000003
【図２】
2015081964.tif 000004
【図３】
2015081964.tif 000005
【図４】
2015081964.tif 000006
【図５】
2015081964.tif 000007
【図６】
2015081964.tif 000008
【図７】
2015081964.tif 000009
【図８】
2015081964.tif 000010
【図９】
2015081964.tif 000011
【図１０】
2015081964.tif 000012